(57)【要約】【課題】感光体ドラムなどの像担持体上に形成されたトナー像を中間転写体に転写し、中間転写体上に転写されたトナー像を記録シートに転写し作像する複写機等の画像形成装置において、導電ブラシを用い、中間転写体を清掃する。その際、中間転写体の清掃不良が発生することを未然に防止すると共に、導電ブラシの交換の手間の抑制を図ること。【解決手段】第１導電ブラシ８１と第２導電ブラシ８２とを中間転写ベルト１１に沿って配し、第１導電ブラシ８１の原糸抵抗値Ｒ１［Ω／ｃｍ］の対数値ｌｏｇＲ１を第２導電ブラシ８２の原糸抵抗値Ｒ２［Ω／ｃｍ］の対数値ｌｏｇＲ２以上とし、かつ対数値ｌｏｇＲ１を１０．５以上１２．０以下に設定し、対数値ｌｏｇＲ２を１０．５以上１１．４以下に設定した。【選択図】図２
2009186764.tif 000002
【特許請求の範囲】
【請求項１】
像担持体上に形成されたトナー像を中間転写体に転写し、中間転写体上に転写されたトナー像を記録シートに転写し作像する画像形成装置であって、
記録シートに転写されずに前記中間転写体上に残った残留トナーを除去するクリーニング手段を備え、
前記クリーニング手段は、前記中間転写体に当接し、トナーの正規の極性と同極性の電圧が印加された第１導電ブラシと、
前記第１導電ブラシよりも中間転写体運動方向の下流で前記中間転写体に当接し、前記正規の極性と同極性の電圧が印加された第２導電ブラシと、
前記第２導電ブラシよりも中間転写体運動方向の下流で前記中間転写体に当接し、前記正規の極性と逆極性の電圧が印加されたクリーニング部材と、
を有し、
第１導電ブラシの原糸抵抗値Ｒ１［Ω／ｃｍ］が、第２導電ブラシの原糸抵抗値Ｒ２［Ω／ｃｍ］以上で、かつ第１導電ブラシの原糸抵抗値Ｒ１の対数値ｌｏｇＲ１が１０．５以上１２．０以下、第２導電ブラシの原糸抵抗値Ｒ２の対数値ｌｏｇＲ２が１０．５以上１１．４以下に設定されていることを特徴とする画像形成装置。
【請求項２】
前記第１導電ブラシの原糸抵抗値Ｒ１が前記第２導電ブラシの原糸抵抗値Ｒ２よりも大きく、
単一電源と、抵抗部材とを備え、
前記抵抗部材は、第２導電ブラシと直列接続され、
前記電源は、前記第２導電ブラシと前記抵抗部材との直列回路と、前記第１導電ブラシとが並列接続された回路に電力を供給することを特徴とする請求項１に記載の画像形成装置。
【発明の詳細な説明】
【技術分野】
【０００１】
本発明は、像担持体から中間転写体に転写されたトナー像を記録シートに転写する画像形成装置において、当該中間転写体を清掃する技術に関する。
【背景技術】
【０００２】
感光体ドラムなどの像担持体から、中間転写体、たとえば周回運動する中間転写ベルトに転写されたトナー像を、記録シートに転写する複写機等の画像形成装置において、理想的には、中間転写ベルト上のトナー全てが記録シートに転写されるべきであるが、実際には、若干量のトナーが転写されずに残ってしまうことがある。この残留トナーを中間転写ベルトから除去する従来技術として、特許文献１に記載されたものがある。
【０００３】
この技術は、残留トナー中に含まれている、正規の帯電極性とは逆の極性に帯電したトナー（以下、単に逆帯電トナーという。）を、接触帯電して極性を反転させて正規の帯電極性に揃える導電ブラシと、当該導電ブラシよりもベルト周回方向下流側に配され、導電ブラシにより正規の帯電極性に揃えられた残留トナーを静電吸着するファーブラシと、を備え、中間転写ベルトから残留トナーの除去を図るものである。
【特許文献１】特開２００４−３１００６０号公報
【発明の開示】
【発明が解決しようとする課題】
【０００４】
しかしながら、上記構成によれば、中間転写ベルトと導電ブラシ間に生じる電界により逆帯電トナーには、導電ブラシに向かう方向の静電力が作用するので、極性反転されるだけでなく、導電ブラシの毛にいくらかが吸着されてしまう。そして、導電ブラシに吸着される逆帯電トナーの量が稼動時間の経過に伴って累積し、やがて逆帯電トナーが導電ブラシの毛を覆うようになると、導電ブラシが中間転写ベルト上の逆帯電トナーに直接接触できなくなる。直接接触できなくなると、中間転写ベルト上の逆帯電トナーは、正規の帯電極性に極性反転され難くなり、ファーブラシに静電吸着されず中間転写ベルト上に残るので、清掃不良の発生に至ってしまう。
【０００５】
この清掃不良は上記導電ブラシを定期的に交換することで防止できるが、清掃不良を未然防止しようとすると、交換頻度がある程度高くなり、その分、交換の手間が増えるという問題がある。
【０００６】
交換頻度を低減する一手段として、例えば、導電ブラシの個数を増やすことが考えられるが、導電ブラシが担う、逆帯電トナーを極性反転させる機能は、毛の原糸抵抗の大きさに依存していると考えられ、単純に、導電ブラシの個数を増やすだけでは、交換頻度を低減することができない。
【０００７】
本発明は、上記問題点に鑑みてなされたものであり、清掃不良の未然防止と共に交換の手間の抑制を図ることができる画像形成装置を提供することを目的とする。
【課題を解決するための手段】
【０００８】
上記課題を解決するため、本発明に係る画像形成装置は、像担持体上に形成されたトナー像を中間転写体に転写し、中間転写体上に転写されたトナー像を記録シートに転写し作像する画像形成装置であって、記録シートに転写されずに前記中間転写体上に残った残留トナーを除去するクリーニング手段を備え、前記クリーニング手段は、前記中間転写体に当接し、トナーの正規の極性と同極性の電圧が印加された第１導電ブラシと、前記第１導電ブラシよりも中間転写体運動方向の下流で前記中間転写体に当接し、前記正規の極性と同極性の電圧が印加された第２導電ブラシと、前記第２導電ブラシよりも中間転写体運動方向の下流で前記中間転写体に当接し、前記正規の極性と逆極性の電圧が印加されたクリーニング部材と、を有し、第１導電ブラシの原糸抵抗値Ｒ１［Ω／ｃｍ］が、第２導電ブラシの原糸抵抗値Ｒ２［Ω／ｃｍ］以上で、かつ第１導電ブラシの原糸抵抗値Ｒ１の対数値ｌｏｇＲ１が１０．５以上１２．０以下、第２導電ブラシの原糸抵抗値Ｒ２の対数値ｌｏｇＲ２が１０．５以上１１．４以下に設定されていることを特徴とする。
【発明の効果】
【０００９】
本発明に係る画像形成装置によれば、導電ブラシを２つ設けると共に、第１導電ブラシと第２導電ブラシの原糸抵抗値Ｒ１、Ｒ２をそれぞれ上記の範囲に設定することにより、第１導電ブラシおよび第２導電ブラシの、逆帯電トナーの極性をトナーの正規の極性に反転させる機能を、従来の１つの導電ブラシを付けた場合よりも、長期に亘って維持することが可能になり、清掃不良の未然防止と共に交換の手間の抑制を図ることができる。
【００１０】
また、本発明に係る画像形成装置によれば、前記第１導電ブラシの原糸抵抗値Ｒ１が前記第２導電ブラシの原糸抵抗値Ｒ２よりも大きく、単一電源と、抵抗部材とを備え、前記抵抗部材は、第２導電ブラシと直列接続され、前記電源は、前記第２導電ブラシと前記抵抗部材との直列回路と、前記第１導電ブラシとが並列接続された回路に電力を供給することを特徴とする。
【００１１】
このような構成を備えることにより、出力値の異なる電源を２つ設ける必要がなくなり、より低コスト化を図ることができる。
【発明を実施するための最良の形態】
【００１２】
〔第１の実施の形態〕
図１は、本実施の形態に係るプリンタ１の構成を示す概略断面図である。
【００１３】
図１に示すように、プリンタ１は、画像プロセス部３、給送部４、定着部５および制御部６等を備えており、ＬＡＮ等のネットワークに接続されて、外部の端末装置（図示せず）からの印刷（プリント）ジョブの実行指示を受け付けると、その指示に基づいてイエロー、マゼンタ、シアン、およびブラック色からなるカラーの画像形成を実行する。以下、イエロー、マゼンタ、シアンおよびブラックの各再現色をＹ、Ｍ、Ｃ、Ｋと表し、各再現色に関連する番号にこのＹ、Ｍ、Ｃ、Ｋを添字として付加する。
【００１４】
画像プロセス部３は、Ｙ〜Ｋ色のそれぞれに対応する作像部３Ｙ、３Ｍ、３Ｃ、３Ｋ、光学部１０、中間転写ベルト１１、ベルトクリーニング部１４、ホッパ２０Ｙ、２０Ｍ、２０Ｃ、２０Ｋなどを備えている。
【００１５】
作像部３Ｙは、感光体ドラム３１、その周囲に配設された帯電器３２、現像器３３、一次転写ローラ３４、感光体ドラム３１を清掃するためのクリーナ３５などを備えており、感光体ドラム３１上にＹ色のトナー像を作像する。他の作像部３Ｍ〜３Ｋについても、作像部３Ｙと同様の構成になっており、同図では、符号を省略している。
【００１６】
ホッパ２０Ｙ〜２０Ｋは、Ｙ〜Ｋ色の補充用のトナーを収容し、必要に応じて作像部３Ｙ〜３Ｋの現像器３３にトナーを供給する。
【００１７】
光学部１０は、レーザダイオードなどの各色用の発光素子とポリゴンミラーなどを備え、作像部３Ｙ〜３Ｋの感光体ドラム３１を露光走査するためのレーザ光Ｌを出射する。
【００１８】
中間転写ベルト１１は、無端状のベルトであり、駆動ローラ１２と従動ローラ１３とに張架されて矢印Ａ方向に周回運動する。
【００１９】
ベルトクリーニング部１４は、二次転写位置４６で二次転写されず中間転写ベルト１１上に残った残留トナー３０（図２）を回収して、中間転写ベルト１１の外周面を清掃し、後のプリントジョブ中に残留トナー３０が用紙Ｓに付着することを防止する。
【００２０】
給送部４は、記録シートとしての用紙Ｓを収容する給紙カセット４１と、給紙カセット４１内の用紙Ｓを搬送路４３上に１枚ずつ繰り出す繰り出しローラ４２と、繰り出された用紙Ｓを二次転写位置４６に送り出すタイミングをとるためのタイミングローラ対４４と、二次転写ローラ４５などを備えている。
【００２１】
制御部６は、外部の端末装置からの画像信号をＹ〜Ｋ色用のデジタル信号に変換し、光学部１０の発光素子を駆動させるための駆動信号を生成する。
【００２２】
光学部１０は、制御部６からの駆動信号によりＹ〜Ｋ色の画像形成のためのレーザ光Ｌを発し、作像部３Ｙ〜３Ｋの感光体ドラム３１を露光走査する。この露光走査によって、作像部３Ｙ〜３Ｋ毎に、帯電器３２により一様に帯電された感光体ドラム３１上に静電潜像が形成される。各静電潜像は現像器３３により負に帯電したトナーで顕像化され、各感光体ドラム３１上にＹ〜Ｋ色のトナー像が形成される。
【００２３】
各色のトナー像は、一次転写ローラ３４に作用する静電力により中間転写ベルト１１上に順次転写される。この際、各色の作像動作は、そのトナー像が中間転写ベルト１１上の同じ位置に重ね合わせて一次転写されるようにタイミングをずらして実行される。中間転写ベルト１１上に重ね合わされた各色トナー像は、中間転写ベルト１１の矢印Ａ方向への周回運動により二次転写位置４６に向かって移動する。以降、矢印Ａ方向をベルト周回方向という。
【００２４】
一方、重ね合わされた各色トナー像が二次転写位置４６に移動するタイミングに合わせて、給送部４からはタイミングローラ対４４を介して用紙Ｓが給送されて来ており、その用紙Ｓは周回運動する中間転写ベルト１１と二次転写ローラ４５との間に挟まれて搬送され、中間転写ベルト１１と二次転写ローラ４５との間に作用する静電力により中間転写ベルト１１上のトナー像が一括して用紙Ｓ上に二次転写される。
【００２５】
二次転写位置４６を通過した用紙Ｓは定着部５に搬送され、用紙Ｓ上のトナー像（未定着画像）が定着部５において加熱、加圧により用紙Ｓに定着された後、排出ローラ対７１を介して排出トレイ７２上に排出される。
＜ベルトクリーニング部１４の構成＞
図２は、ベルトクリーニング部１４の構成を示す概略構成図である。
【００２６】
図２に示すように、ベルトクリーニング部１４は、正規電圧印加部８０と、これよりもベルト周回方向下流側に配された逆電圧印加部９０とを有し、中間転写ベルト１１上の残留トナー３０を中間転写ベルト１１から除去するクリーニング装置である。
【００２７】
残留トナー３０は、その大半が正規電圧印加部８０を通過する前に負に帯電しているが、一部に正に帯電したトナー（逆帯電トナー）が含まれている。
【００２８】
正規電圧印加部８０は、中間転写ベルト１１上の残留トナー３０に含まれる逆帯電トナーを極性反転させて、残留トナー３０の極性を、できるだけ正規の帯電極性（負）に揃えるものである。正規電圧印加部８０の詳細については後述する。
【００２９】
逆電圧印加部９０は、中間転写ベルト１１の外周面１１０に当接するクリーニングブラシ９１を有する。クリーニングブラシ９１は、例えば、１．００×１０４〜１．００×１０１０［Ω／口］程度の抵抗を有する樹脂製の毛を植設した布を導電性接着剤で芯金９１ａの外周面に貼り付けたものである。クリーニングブラシ９１、金属製で導電性を有する回収ローラ９２、および金属製で導電性を有し、接点部材としても機能するスクレーパ９５が、この順に隣接しており、スクレーパ９５は、例えば定電流トランスなどの定電流電源９６の正極側に接続されている。クリーニングブラシ９１、回収ローラ９２は、同図に示す方向に回転駆動される。
【００３０】
定電流電源９６の負極側は接地されており、従動ローラ１３が接地されているので、クリーニングブラシ９１には定電流電源９６から正の電圧が印加され、定電流電源９６からスクレーパ９５、回収ローラ９２、クリーニングブラシ９１、中間転写ベルト１１を経て従動ローラ１３にクリーニング電流が流れ、クリーニングブラシ９１から中間転写ベルト１１に向かう方向にクリーニング電界が発生する。
【００３１】
既述のように、残留トナー３０は負に揃えられており、当該残留トナー３０を静電的に吸引する力がクリーニング電界の向きと逆向きに発生する。これにより、中間転写ベルト１１上の残留トナー３０は、クリーニングブラシ９１に吸着され、クリーニングブラシ９１から回収ローラ９２に吸着された後、スクレーパ９５により掻き落とされる。
＜正規電圧印加部８０の構成＞
正規電圧印加部８０は、２つの導電ブラシ８１、８２を有する。二次転写位置４６（図１参照）よりもベルト周回方向の下流側において、中間転写ベルト１１のベルト周回方向に沿って、導電ブラシ（以下、第１導電ブラシという。）８１と、導電ブラシ（以下、第２導電ブラシという。）８２と、が並んでいる。
【００３２】
第１導電ブラシ８１、第２導電ブラシ８２の各々は、ベルト周回方向と直交する方向の長さが中間転写ベルト１１の幅と略同等であり、例えば、金属製で導電性の基部に、導電性を有する樹脂製の毛を植設してなる。本実施の形態では、第１導電ブラシ８１、第２導電ブラシ８２において、毛の長さが４．８［ｍｍ］、に、太さが２．３［ｄｔｅｘ（デシテックス）］に設定され、毛の密度が２４０［ｋＦ（キロフィラメント）／ｉｎｃｈ２］、上記基部の植設面のうちベルト周回方向に沿って５．０［ｍｍ］の領域に毛が植設されている。
【００３３】
本実施の形態では、第１導電ブラシ８１、第２導電ブラシ８２双方の毛の長さは、上記基部の植設面と中間転写ベルト１１の外周面１１０との間隙よりも０．５［ｍｍ］長くなるように設定され、第１導電ブラシ８１、第２導電ブラシ８２双方の毛先部分が撓むようにして外周面１１０に当接する。
【００３４】
なお、第１導電ブラシ８１、第２導電ブラシ８２それぞれの毛の長さ、太さ、密度については上記の数値に限定されない。例えば、長さについては３．０ないし１０［ｍｍ］の範囲内、太さについては１．０ないし６．０［ｄｔｅｘ］の範囲内、密度については５０ないし４００［ｋＦ／ｉｎｃｈ２］の範囲内、上記基部の植設面のうちベルト周回方向に沿って３．０ないし１０［ｍｍ］の領域の範囲内の構成を採ることができる。
【００３５】
第１導電ブラシ８１、第２導電ブラシ８２のそれぞれが、例えば定電流トランスなどの各定電流電源８３、８４の負極側に接続されている。各定電流電源８３、８４の正極側は接地されている。
【００３６】
そして、従動ローラ１３が接地されているので、定電流電源８３から第１導電ブラシ８１に負の電圧が印加され、従動ローラ１３から中間転写ベルト１１、第１導電ブラシ８１を経て定電流電源８３に電流が流れる。同様に、定電流電源８４から第２導電ブラシ８２に負の電圧が印加され、従動ローラ１３から中間転写ベルト１１、第２導電ブラシ８２を経て定電流電源８４に電流が流れ（それぞれ破線で表示）、第１導電ブラシ８１、第２導電ブラシ８２のそれぞれと中間転写ベルト１１との間に電界が発生する。
【００３７】
図３（ａ）は、第１導電ブラシ８１と中間転写ベルト１１との間で発生する電界を示す模式図であり、（ｂ）は、第２導電ブラシ８２と中間転写ベルト１１との間で発生する電界を示す模式図である。両図ともブラシの毛先部分と中間転写ベルト１１の外周面１１０との間に残留トナー３０が介在している様子を示している。
【００３８】
図３（ａ）に示すように、既述の構成により、第１導電ブラシ８１の電位が中間転写ベルト１１の電位よりも低くなるので、電界Ｅ１は中間転写ベルト１１から第１導電ブラシ８１に向かう方向に発生する（二点鎖線の矢印で表示）。
【００３９】
同様に、図３（ｂ）に示すように、第２導電ブラシ８２の電位が中間転写ベルト１１の電位よりも低くなるので、電界Ｅ２は中間転写ベルト１１から第２導電ブラシ８２に向かう方向に発生する（二点鎖線の矢印で表示）。
【００４０】
このように導電ブラシを２つ設けると共に、各導電ブラシの原糸抵抗値Ｒ１、Ｒ２を、下記の実験から求められる適切な組み合わせに設定することによって、逆帯電トナーの極性を、正規の帯電極性、ここでは負に極性反転させることを、導電ブラシが１つの場合と比べ、長期に亘って維持できる。
【００４１】
すなわち、逆帯電トナーを極性反転させる機能は、毛の原糸抵抗値の大きさに依存していると考えられる。そこで、第１導電ブラシ８１の原糸抵抗値Ｒ１と、第２導電ブラシ８２の原糸抵抗値Ｒ２との適切な組み合わせを求める実験を行った。
【００４２】
具体的には、各定電流電源８３、８４（最大電圧−３．５［ｋＶ］）の出力電流値（一定）を６０［μＡ］とし、第１導電ブラシ８１の原糸抵抗値Ｒ１［Ω／ｃｍ］、第２導電ブラシ８２の原糸抵抗値Ｒ２［Ω／ｃｍ］の組み合わせを様々に変えて、清掃不良が発生するまでの用紙Ｓの累積印刷枚数を数えた。
【００４３】
図４は、この実験結果を示したものであり、各原糸抵抗値Ｒ１、Ｒ２（対数値ｌｏｇＲ１、ｌｏｇＲ２）の組み合わせにおける累積印刷枚数を示した表である。なお、図４では、第２導電ブラシ８２のない状態、すなわち、帯電ブラシ１つの場合の累積印刷枚数も併せて記載した。また、第１導電ブラシ８１には−４９０［Ｖ］、第２導電ブラシ８２には−２４０［Ｖ］のバイアス電圧を掛けている。各累積印刷枚数は、１，０００枚単位で示している。
【００４４】
原糸抵抗値Ｒ１、Ｒ２の組み合わせのうち、ｌｏｇＲ１＝１１．４、ｌｏｇＲ２＝１０．５の組が、５００ｋ（＝５００，０００）枚となって、最も累積印刷枚数が多かった。
【００４５】
その他の組の累積印刷枚数を見ると、導電ブラシを２つ設けたからといって１つの場合の２倍に達しないもののあることが分かる。具体的には、共に１０．０の組の場合などである。
【００４６】
このようになることを、以下に示す図５、図６および図７を用いて考察する。
【００４７】
図５は、導電ブラシの原糸抵抗値（対数値）と中間転写ベルト上の残留トナーの帯電量［ｆ（フェムト）Ｃ］との関係を示す特性図である。図５は、以下のような実験によって得られる。すなわち、導電ブラシを１つ、クリーニングブラシを１つにしたこと以外は本実施の形態と同様の構成としたベルトクリーニング部を有するプリンタを用意し、原糸抵抗値Ｒの対数値ｌｏｇＲがそれぞれ１０．０、１０．５、１１．４、１２．０に設定された新品の導電ブラシを、各１０セット用意し、これらを順次上記ベルトクリーニング部に取り付ける。そして、導電ブラシ毎に同量の残留トナーの載った中間転写ベルトを周回運動させる。導電ブラシ通過後の残留トナーの帯電量を、ホソカワミクロン株式会社から市販されている粒子帯電量分布測定装置（商品名：Ｅｓｐａｒｔアナライザー）で測定し、残留トナーの帯電量の平均値を算出する。縦軸に残留トナーの帯電量（平均値）、横軸に原糸抵抗値Ｒの対数値ｌｏｇＲを示した特性図を作成すると、図５が得られる。
【００４８】
図６は、導電ブラシの原糸抵抗値（対数値）と導電ブラシの汚れ量との関係を示す特性図である。図６は、以下のような実験によって得られる。すなわち、別途、上記実験で用いたものと同様のプリンタと、既述の４種類の対数値ｌｏｇＲに設定された新品の導電ブラシを用意し、順次導電ブラシをプリンタに装着し、導電ブラシごとに５０ｋ枚分のプリントジョブを実行し、５０ｋ枚分のプリントジョブ実行後の導電ブラシに溜まった汚れ（主にトナーや紙粉）を採取してその重量を測定し、ブラシごとにその平均値を算出する。縦軸に導電ブラシの汚れ量（汚れの重量の平均値）、横軸に導電ブラシの原糸抵抗値Ｒの対数値ｌｏｇＲを示した特性図を作成すると、図６が得られる。
【００４９】
図７は、累積印刷枚数を考慮した、導電ブラシの原糸抵抗値（対数値）と中間転写ベルト上の残留トナーの帯電量［ｆ(フェムト)Ｃ］との関係を示す特性図である。図７は、図５と図６とを勘案して得られるものである。すなわち、図５から、導電ブラシの毛に原糸抵抗値Ｒの高いものを用いるほど、負の帯電量を大きくでき、トナーを負に帯電させる特性がよりよくなることが分かる。したがって、図５を見る限り、原糸抵抗値Ｒの高い毛を植設した導電ブラシを用いれば、残留トナーに含まれている逆帯電トナーの各トナー粒子をより多く負に極性反転させることができ、中間転写ベルトの清掃不良を抑制できると考えられる。
【００５０】
しかしながら、図６から、累積印刷枚数がある程度の枚数（５０ｋ枚）に達すると、原糸抵抗値Ｒが高いほど、導電ブラシの汚れ量が増加することが分かる。これは、定電流電源を用いているため、原糸抵抗値Ｒを高くするにつれて、導電ブラシと中間転写ベルトとの電位差が大きくなって、電界が強くなり、逆帯電トナーが導電ブラシの毛に吸着される量が増加し、印刷枚数の累積に伴って、導電ブラシの毛に吸着される逆帯電トナーの量が増えるからと考えられる。このような作用が働くと、印刷枚数が累積するにつれて、中間転写ベルト上の逆帯電トナーと導電ブラシの毛との直接接触が妨げられて、中間転写ベルト上の逆帯電トナーを接触帯電させることが困難になる。したがって、累積印刷枚数を考慮すると、原糸抵抗値Ｒとトナー帯電量との関係は、原糸抵抗値Ｒが大きくなるにつれて、負の帯電量が、ピークに達し、その後、小さくなってゆくと考えられる。以上のような考察から図７を導いた。
【００５１】
これら図５ないし図７を勘案すると、以下のような事項が導き出される。第１に、原糸抵抗値が小さすぎる場合、稼動初期から累積印刷枚数がかなりの枚数に達するまでを通して、残留トナーを極性反転させる能力および残留トナーを吸着する能力があまり発揮されない。第２に、原糸抵抗値が１０．５の近傍から１１．４の近傍に設定された場合、稼動初期から累積印刷枚数がかなりの枚数に達するまでを通して、残留トナーを極性反転させる能力がある程度、発揮されると共に残留トナーを吸着する能力もある程度、発揮される。第３に、原糸抵抗値が大きすぎる場合、稼動初期では、残留トナーを極性反転させる能力を十分に発揮できても、トナー吸着量が多すぎるので、累積印刷枚数の増加につれて、残留トナーを極性反転させる能力が激減してしまうものである。
【００５２】
図４に示す結果において、原糸抵抗値Ｒ１、Ｒ２が共に低すぎる、具体的には、対数値ｌｏｇＲ１、ｌｏｇＲ２が共に１０．０の組などの場合が第１の事項の場合に相当し、導電ブラシを２つ設けたとしても、中間転写ベルト１１の外周面１１０上の残留トナー３０が第１導電ブラシ８１、第２導電ブラシ８２の双方を通過した後の、残留トナー３０中の逆帯電トナー２９（図３参照）の量が減り難いからと考えられる。すなわち、２つ配した意義が低く、一つの場合と変わらないといえる。
【００５３】
逆に、原糸抵抗値Ｒ１、Ｒ２が大きすぎる、具体的には、対数値ｌｏｇＲ１、ｌｏｇＲ２が共に１２．０の組などの場合が第３の事項の場合に相当し、原糸抵抗値Ｒ１、Ｒ２が低すぎる場合と同様、導電ブラシを２つ設けたとしても、稼動し始めてほどなく、第１導電ブラシ８１、第２導電ブラシ８２双方の毛が逆帯電トナー２９で覆われ、残留トナー３０を極性反転させる能力が極端に下がったと考えられる。
【００５４】
一方、ｌｏｇＲ１＝１１．４と、ｌｏｇＲ２＝１０．５となる組、ｌｏｇＲ１＝１２．０と、ｌｏｇＲ２＝１０．５となる組、ｌｏｇＲ１＝１２．０と、ｌｏｇＲ２＝１１．４となる組のそれぞれが、第２の事項の場合に相当し、中間転写ベルト１１の外周面１１０上の残留トナー３０を第１導電ブラシ８１に通過させると、逆帯電トナー２９のうち正の帯電量の多い（電荷量分布の中で正の帯電量の値が大きい）トナー粒子が第１導電ブラシ８１にて吸着されて、正の帯電量の多いトナー粒子の量を減らせると考えられる（図３（ａ）参照）。
【００５５】
これによって、正の帯電量の多いトナー粒子を第１導電ブラシ８１が吸着している間、下流側に配された第２導電ブラシ８２には、正の帯電量の多いトナー粒子が来なくなり、正の帯電量の少ない（電荷量分布の中で正の帯電量の値が小さい）トナー粒子がより多く搬送されてくる。正の帯電量の少ないトナー粒子は、第２導電ブラシ８２との間では、ブラシに吸着されるまでには至らず、極性反転されて（図３（ｂ）参照）、第２導電ブラシ８２が担う、逆帯電トナーを極性反転させる能力が発揮され易くなったと考えられる。
【００５６】
また、正の帯電量の少ないトナー粒子は、第１導電ブラシ８１を通過する際、第１導電ブラシ８１が有する、逆帯電トナーを極性反転させる能力により、正の帯電量がある程度、下げられると考えられる。これによって、正の帯電量の少ないトナー粒子は、第２導電ブラシ８２を通過する際に、極性反転され易くなる。すなわち、第１導電ブラシ８１の、逆帯電トナーを極性反転させる能力によっても、第２導電ブラシ８２が担う、逆帯電トナーを極性反転させる能力が発揮され易くなったと考えられる。
【００５７】
稼働時間の経過につれて第１導電ブラシ８１のトナー吸着量が多くなり、第１導電ブラシ８１が逆帯電トナー２９のうち正の帯電量の多いトナー粒子を吸着できなくなると、正の帯電量の多いトナー粒子も第１導電ブラシ８１を通過し、第２導電ブラシ８２に吸着され始める。しかし、正の帯電量の多いトナー粒子には、ある程度の割合で第１導電ブラシ８１によって帯電量が下げられているものが含まれており、第２導電ブラシ８２で接触帯電されたときに極性反転（負に帯電）されて、極性が揃えられ易くなり、その結果、累積印刷枚数の増加に繋がったと考えられる。
【００５８】
図４から、帯電ブラシ１つの場合において、原糸抵抗値Ｒの対数値ｌｏｇＲが１０．５に設定されているときに累積印刷枚数が最も多いので、これを基準に、累積印刷枚数が２５０ｋ枚を超えているものは清掃不良の抑制効果があったとして良と判定し、これ以下のものを不良と判定した。その結果、第２導電ブラシ８２の対数値ｌｏｇＲ２が１０．５に対して第１導電ブラシ８１の対数値ｌｏｇＲ１が１０．５、１１．４、１２．０の組み合わせ、および第２導電ブラシ８２の対数値ｌｏｇＲ２が１１．４に対して第１導電ブラシ８１の対数値ｌｏｇＲ１が１１．４、１２．０の組み合わせが良と判定した。
【００５９】
なお、図６、図７から分かるように、第１導電ブラシ８１と第２導電ブラシ８２の各原糸抵抗の値（対数値）は上記の組み合わせに限らず、原糸抵抗値Ｒ１がＲ２以上となるように設定され、かつ、原糸抵抗値Ｒ１の対数値ｌｏｇＲ１が１０．５以上１２．０以下の範囲であり、原糸抵抗値Ｒ２の対数値ｌｏｇＲ２が１０．５以上１１．４以下の範囲に設定されていれば、同様の清掃不良の抑制効果を得ることができる。
【００６０】
このような範囲に各原糸抵抗値Ｒ１、Ｒ２を設定することで、逆帯電トナー２９を短期間で吸着し過ぎることを抑制しつつ吸着する能力と、逆帯電トナー２９をある程度極性反転させる能力とを、第１導電ブラシ８１に発揮させて、逆帯電トナー２９を極性反転させる能力を第２導電ブラシに発揮させ易くすることができ、ブラシの交換頻度をより少なくできる。
〔第２の実施の形態〕
図８は、第２の実施の形態に係るベルトクリーニング部の要部を示した図である。本実施の形態では、第１導電ブラシ８１、第２導電ブラシ８２の回路の構成が異なるのみであるので、説明の重複を避けるため、第１の実施の形態と同様の構成については、同じ符号を付し、その説明を省略する。
【００６１】
図８に示すように、本実施の形態では、第１導電ブラシ８１、第２導電ブラシ８２の双方が１つの定電流電源８３に接続されている。この点で第１導電ブラシ８１、第２導電ブラシ８２のそれぞれに専用の定電流電源が接続されている第１の実施の形態と異なる。
【００６２】
第１導電ブラシ８１、第２導電ブラシ８２のそれぞれにほぼ同じ定電流を流すため、抵抗部材８５が第２導電ブラシ８２と直列接続され、抵抗部材８５および第２導電ブラシ８２からなる直列回路と、第１導電ブラシ８１とが１つの定電流電源８３に並列接続されている。
【００６３】
本実施の形態では、電源８３の電圧を５００［Ｖ］とし、抵抗部材８５の抵抗値を４．３［ＭΩ］として、第１の実施の形態と同様の試験を実施したところ、同様の結果を得た。
【００６４】
このような構成によって、出力値の異なる電源を２つ設ける必要がなくなり、より低コスト化を図れる。
＜変形例＞
（１）上記各実施の形態では、正規の帯電極性が負のトナーを用いた例を説明したが、これに限られず、正のトナーを用いる場合にも同様に適用できる。この場合、上記の構成において、正負の関係が全て逆にされる。
【００６５】
（２）上記各実施の形態では、各導電ブラシ８１、８２が回転しないものを用いたが、これに限らない。例えば、クリーニングブラシ９１と同様の形態、すなわち回転式の導電ブラシを採用することもできる。
【００６６】
（３）上記各実施の形態では、クリーニングブラシ９１で中間転写ベルト１１の外周面１１０を清掃したが、これに限らない。例えば、表面が凹凸のローラ状のクリーニング部材を用い、当該凹凸面を中間転写ベルト１１の外周面１１０に当接させ、当該クリーニング部材を回転させて、清掃することもできる。
【００６７】
（４）上記各実施の形態では、中間転写ベルトを備えた画像形成装置に本発明を適用した場合について述べたが、これに限らない。例えば、中間転写ベルトに替えて中間転写ドラムを備えた画像形成装置にも本発明を適用することができる。
【００６８】
（５）上記各実施の形態では、本発明に係る画像形成装置をタンデム型カラーデジタルプリンタに適用した場合の例を説明したが、これに限られない。カラーやモノクロの画像形成に関わらず、感光体ドラムなどの像担持体に形成されたトナー像を中間転写ベルトなどの中間転写体に転写し、中間転写体上に転写されたトナー像を記録シートに転写し作像する画像形成装置であれば、例えば複写機、ＦＡＸ、ＭＦＰ（Multiple Function Peripheral）等に適用できる。
【００６９】
また、上記各実施の形態及び上記変形例の内容をそれぞれ組み合わせるとしても良い。
【産業上の利用可能性】
【００７０】
本発明は、中間転写ベルトなどの中間転写体を備えた画像形成装置に広く適用できる。
【図面の簡単な説明】
【００７１】
【図１】第１の実施の形態に係るプリンタの構成を示す概略断面図である。
【図２】第１の実施の形態に係るベルトクリーニング部の構成を示す概略構成図である。
【図３】（ａ）は、第１の実施の形態に係る第１導電ブラシと中間転写ベルトとの間で発生する電界を示す模式図であり、（ｂ）は、第１の実施の形態に係る第２導電ブラシと中間転写ベルトとの間で発生する電界を示す模式図である。
【図４】第１の実施の形態に係る各原糸抵抗値Ｒ１、Ｒ２（対数値ｌｏｇＲ１、ｌｏｇＲ２）の組み合わせにおける累積印刷枚数を示した表である。
【図５】第１の実施の形態において、導電ブラシの原糸抵抗値（対数値）と中間転写ベルト上の残留トナーの帯電量との関係を示す特性図である。
【図６】第１の実施の形態において、導電ブラシの原糸抵抗値（対数値）と導電ブラシの汚れ量との関係を示す特性図である。
【図７】第１の実施の形態において、累積印刷枚数を考慮した、導電ブラシの原糸抵抗値（対数値）と中間転写ベルト上の残留トナーの帯電量との関係を示す特性図である。
【図８】第２の実施の形態に係るベルトクリーニング部の要部を示した要部構成図である。
【符号の説明】
【００７２】
１・・・プリンタ
３・・・画像プロセス部
４・・・給送部
５・・・定着部
６・・・制御部
１１・・・中間転写ベルト
１２・・・駆動ローラ
１３・・・従動ローラ
１４・・・ベルトクリーニング部
２９・・・逆帯電（正）トナー
３０・・・残留トナー
８０・・・正規電圧印加部
８１・・・第１導電ブラシ
８２・・・第２導電ブラシ
８３、８４、９６・・・定電流電源
９０・・・逆電圧印加部
９１・・・クリーニングブラシ
１１０・・・外周面
【図１】
2009186764.tif 000003
【図２】
2009186764.tif 000004
【図３】
2009186764.tif 000005
【図４】
2009186764.tif 000006
【図５】
2009186764.tif 000007
【図６】
2009186764.tif 000008
【図７】
2009186764.tif 000009
【図８】
2009186764.tif 000010